(57)【特許請求の範囲】
【請求項１】
人体の左右の大腿部と臀部を支持する座部の基盤に、臀部側において該基盤に固定の軸受けにプレートが揺動可能に枢着支持され、該プレートの先端部に、基盤上方に位置する人体の左右の大腿部に向かってアームが起立されてこのアームの先端部に揉み輪が支持され、基盤とプレートとの間に、空気の給排によって伸縮するよう揺動用のエアーセルが配設されてこの揺動用のエアーセルの伸縮によってプレートが軸受けの枢着支持部を支点として揺動されて上記揉み輪が基盤上方に位置する人体左右の大腿部に前記軸受けの枢着支持部を支点とした円弧状の押し込みマッサージ作用が施されるように構成されていることを特徴とするマッサージ装置。
【請求項２】
人体の左右の大腿部と臀部を支持する座部の基盤に、臀部側において該基盤に固定の軸受けにプレートが揺動可能に枢着支持され、該プレートの先端部に、基盤上方に位置する人体の左右の大腿部に向かってアームが起立されてこのアームの先端部に揉み輪が支持され、基盤とプレートとの間に、空気の給排によって伸縮する揺動用のエアーセルが配設されてこの揺動用のエアーセルの伸縮によってプレートが軸受けの枢着支持部を支点として揺動されて上記揉み輪が基盤上方に位置する人体の左右の大腿部に前記軸受けの枢着支持部を支点とした円弧状の押し込みマッサージ作用が施されるように構成され、さらに上記基盤の左右の臀部が位置する部分に、それぞれ空気の給排によって上下方向に伸縮する押圧用エアーセルが配設されてこの押圧用エアーセルの伸縮によって人体の左右の臀部に押しマッサージ作用が施されるように構成されていることを特徴とするマッサージ装置。
【請求項３】
プレートが基盤の裏面側に配設されてその中間部が基盤の臀部側において該基盤に固定の軸受けに揺動可能に枢着支持され、揉み輪を支持したアームがプレートの一側に立設されて基盤の左右に形成された透孔から人体の左右の大腿部に向かって起立され、揺動用のエアーセルがプレートの他側と基盤裏面との間に配設されてこの揺動用のエアーセルの伸縮によってプレートが軸受けの枢着支持部を支点としてシーソー状に揺動されて上記揉み輪が基盤上方に位置する人体の左右の大腿部に前記軸受けの枢着支持部を支点とした円弧状の押し込みマッサージ作用が施されるように構成されていることを特徴とする請求項１または請求項２記載のマッサージ装置。
【請求項４】
先端部に揉み輪を支持したアームを備えたプレートが基盤の表面側に配設されてその端部が基盤の臀部側において該基盤に固定の軸受けに揺動可能に枢着支持され、揺動用のエアーセルがプレートのアーム側の下方に配設されてこの揺動用のエアーセルの伸縮によってプレートが軸受けの枢着支持部を支点として揺動されて上記揉み輪が基盤上方に位置する人体の左右の大腿部に前記軸受けの枢着支持部を支点とした円弧状の押し込みマッサージ作用が施されるように構成されていることを特徴とする請求項１または請求項２記載のマッサージ装置。
【発明の詳細な説明】
【０００１】
【発明の属する技術分野】
本発明は、座部のマッサージ装置、例えば、椅子式マッサージの座部内に装備されて着座した使用者の大腿部に効果的なマッサージを施すことができ、さらに臀部にもマッサージを施すことができるマッサージ装置に関するものである。
【０００２】
【従来の技術】
人体の肩の凝りや疲れの回復、あるいは血行の促進などを目的として従来から各種のマッサージ装置が提供されている。従来のこれらのマッサージ機は周知の通り、モーターの回転力を利用し、各種の運動に変換して揉み具を作動させ、人体にマッサージが施されるようになっている。また近年においては、エアーアクチュエータやエアーセルなどの空気袋の空気の給排による膨張収縮機能を利用してマッサージを施すようになしたいわゆるエアーマッサージ機が実用されるに至っている。
【０００３】
上記したエアーマッサージ機としては、例えば特開平２−１０７２６号公報記載のように、空気の給排によって膨張収縮するエアーアクチュエータで押圧作用をする施療子を椅子の背もたれ部に配して着座した身体の腰部をマッサージするようになしたもの、あるいは特開平８−８９５４０号公報に記載されているように、人体の背部や腰部の他に脚や腕などの肢体部分を空気袋の膨張収縮によってマッサージすることができるエアーマッサージ機を挙げることができる。
【０００４】
【発明が解決しようとする課題】
ところが従来のマッサージ機の多くは、主として人体の腰や背中あるいは肩など上半身と肢体部分のマッサージを対象としてなされているものであって、人体の大腿部や臀部のマッサージについては配慮されてなく、また人体の大腿部と臀部のマッサージにマッサージを付与できるようにするべく、従来の上記した技術を利用して座席部に単に空気袋を配設したとしても、特に大腿部に対して効果的なマッサージを付与することができない。
【０００５】
本発明は、人体の左右の大腿部に効果的なマッサージを施すことができ、さらに臀部にもマッサージを付与することができるマッサージ装置を提供するものである。
【０００６】
【課題を解決するための手段】
本発明は、椅子の座部やベッドなどの人体の大腿部および臀部が位置する部分に、揺動用のエアーセルの伸縮によって大腿部に揉み作用を付与する揉み輪を設け、さらに望ましくは、臀部の位置にも押圧用エアーセルを設けることによって上記課題を解決したものである。即ち、本発明のマッサージ装置は、人体の左右の大腿部と臀部を支持する座部の基盤に、臀部側において該基盤に固定の軸受けにプレートが揺動可能に枢着支持され、該プレートの先端部に、基盤上方に位置する人体の左右の大腿部に向かってアームが起立されてこのアームの先端部に揉み輪が支持され、基盤とプレートとの間に、空気の給排によって伸縮する揺動用のエアーセルが配設されてこの揺動用のエアーセルの伸縮によってプレートが軸受けの枢着支持部を支点として揺動されて上記揉み輪が基盤上方に位置する人体の左右の大腿部に前記軸受けの枢着支持部を支点とした円弧状の押し込みマッサージ作用が施されるように構成されていることを特徴としているものである。
【０００７】
本発明のマッサージ装置においては、上記のように基盤上方に位置する人体の左右の大腿部に対して、揉み輪でもって円弧状の押し込みマッサージ作用を施す機構の他に、上記基盤の左右の臀部が位置する部分に、それぞれ空気の給排によって上下方向に伸縮する押圧用エアーセルを配設し、この押圧用エアーセルを伸縮させて人体の左右の臀部に押し揉み作用が施されるように構成することによって、基盤上方に位置する人体の大腿部と臀部にマッサージを実施することができるマッサージ装置となすこともできる。
【０００８】
揉み輪を支持したプレートに軸受けの枢着支持部を支点とした円弧状の押し込みマッサージ作用を遂行させる一つの手段として、プレートを基盤の裏面側に配設してその中間部を基盤の臀部側において該基盤に固定の軸受けに枢着支持し、揉み輪を支持したアームをプレートの一側に立設するとともに、基盤の左右に透孔を設けてその透孔から人体の左右の大腿部に向かつて揉み輪を突出させ、揺動用のエアーセルをプレートの他側と基盤裏面との間に配設してこの揺動用のエアーセルの伸縮によってプレートをシーソー状に揺動させるように構成するとよい。
【０００９】
また揉み輪を支持したプレートに円弧状の押し込みマッサージ作用を遂行させる他の手段として、先端部に揉み輪を支持したアームを備えるプレートを基盤の表面側に配設してその端部を基盤の臀部側において該基盤に固定の軸受けに枢着支持し、プレートのアーム側の下方に、揺動用のエアーセルを配設してこの揺動用エアーセルの伸縮によってプレートを揺動させるように構成してもよい。
【００１０】
いずれの手段にしても、揉み輪の軸心よりもプレートの枢着支持部の位置を低位となし、枢着支持部を基盤の臀部側に配してプレートを揺動させるように構成することによって、揉み輪に円弧状の押し込みマッサージ作用を実行させることができる。
【００１１】
上記したプレートの揺動用のエアーセル、あるいは臀部の下方位置に配する押圧用エアーセルは、合成樹脂シートや皮革風の非通気性の可撓性シートを蛇腹状に成形し、内部の空気の給排によって高さ方向に伸縮する機能を有しているものであって、その高さ方向の伸長有効寸法が２０〜１００ｍｍ程度のものが好ましい。そして臀部押圧用の左右の押圧用エアーセルの上面中心部には、半球状の指圧子をそれぞれ装備させておくとよい。
【００１２】
また上記プレートの揺動用のエアーセルや臀部の押圧用エアーセルは、各々単独で、あるいは両方が同期に伸縮作動するように空気導管でもって空気制御部に接続しておくとよい。またこれらのエアーセルの伸縮作動速度は一定でもよいが、３〜１００回／分の範囲で任意に調整できるようにしておくことが望ましい。
【００１３】
【発明の実施の形態】
本発明の実施の形態を実施例にもとづき図面を参照しながら説明すると、図１は本発明によるマッサージ装置の主要部を示した下方からの斜視図、図２はマッサージ装置の使用状態を示した簡略側面図である。本発明のマッサージ装置１は、図１および図２に示しているように、例えば、着座した人体の左右の大腿部Ａと臀部Ｂが位置する座部の基盤２部分に配置され、その基盤２の大腿部Ａが位置する側の左右に縦長の透孔３，３が形成されている。
【００１４】
基盤２の裏面側には、基盤２に固定垂下された軸受け４によって中間部分が枢着支持された揺動可能なプレート５が配設され、このプレート５の一方に、上記基盤２の左右の透孔３，３内に向かってアーム６，６が立設され、左右のアーム６，６にそれぞれ揉み輪７，７が支持されている。プレート５の他方と基盤２との間には空気の給排によって伸縮する揺動用のエアーセル８が配設され、この揺動用のエアーセル８の伸縮によってプレート５がシーソー状に揺動され、図２に示しているように、上記揉み輪７，７が基盤２の上方に位置する人体の左右の大腿部Ａに軸受けの枢着支持部を支点とした円弧状の押し込みマッサージ作用が施されるようになっている。
【００１５】
また実施例においては、上記基盤２の左右の臀部Ｂが位置する部分には、それぞれ空気の給排によって上下方向に伸縮する押圧用エアーセル９，９が配設されていて、この押圧用エアーセル９，９の伸縮によって人体の左右の臀部Ｂに押し揉み作用が施されるようになっている。図中１０および１１は上記揺動用のエアーセル８および押圧用エアーセル９，９内に図示せざるエアーポンプからの給排空気の導管である。
【００１６】
なお、上記基盤２の上面の左右の揉み輪７，７と押圧用エアーセル９，９の部分を除いてクッション材層１２が設けられ、さらにクッション材層と左右の揉み輪７，７と押圧用エアーセル９，９の上面には外装シート１３が張設されていて、この外装シート１３を介して人体の大腿部Ａおよび臀部Ｂにマッサージが行われるようになっている。
【００１７】
上記した本発明のマッサージ装置１は、ベッド式マッサージ機にも適用できるが、図３に示すように背もたれ部１４や脚部１５にマッサージ装置を備えた椅子式マッサージ機の座部１６に配設して使用することによって人体の全身マッサージを行うことができる。
【００１８】
続いて本発明のマッサージ装置が椅子式マッサージ機の座部に配設されている場合における動作要領について説明すると、使用者はまず椅子本体の座部に着席し左右の大腿部Ａと臀部Ｂを図２に示しているように揉み輪７と押圧用エアーセル９の上に位置させる。次いで椅子本体の側面に配設されている操作盤（図示せず）の「大腿部」のモードのボタンを押すと、揺動用のエアーセル８内への空気の給排が行われて揺動用のエアーセル８が伸縮し、それによって図２に示しているようにプレート５がシーソー状に揺動され、揉み輪７が大腿部Ａに向かって円弧軌跡を描きながら往復動されて大腿部Ａを下方から上方に押し込み、大腿部Ａにマッサージ師の親指による揉み上げ指圧風のマッサージが施される。そしてこの押し込みストロークは揺動用のエアーセル８内への空気の給排量を増減することによって選定でき、また押し込み速度は揺動用のエアーセル８内への空気の給排サイクルを変更することによって調整することができる。
【００１９】
また操作部の「臀部」のモードのボタンを押すと、押圧用エアーセル９内への空気の給排が行われて押圧用エアーセル９が上下方向に伸縮し、それによって左右の臀部が押圧用エアーセル９，９でもって押圧され、臀部に指圧風のマッサージが施される。この押圧ストロークや押圧サイクルも、上記と同様に押圧用エアーセル９内への空気の給排量と給排ピッチを調整することによって適宜に選定することができる。揺動用のエアーセル８と押圧用エアーセル９とを同時に作動させて大腿部Ａと臀部Ｂとに同時にマッサージを施すことも有効な使用法であることは勿論である。
【００２０】
図４は揉み輪７，７を支持したプレート５の他の揺動手段を例示しているものである。即ち、先端部に揉み輪７，７を支持したアーム６，６を備えるプレート５が基盤２の表面側に配設され、その端部に垂下している取付け部１７が基盤２の臀部側に立設された軸受け４に枢着支持されている。そして揺動用のエアーセル８がプレート５のアーム６側の下方に配設されてこの揺動用のエアーセル８の伸縮によってプレート５が揺動され、この揺動によって図５に示しているように揉み輪７が矢印方向に円弧運動され、基盤上方に位置する人体の左右の大腿部に円弧状の押し込みマッサージ作用が施されるように構成されている。
【００２１】
また図６は揉み輪７，７を支持したプレート５のさらに他の揺動手段を例示しているものである。即ち、先端部に揉み輪７，７を支持したアーム６，６を備えるプレート５がその中間部分において下方にＬ字状に屈曲され、その屈曲された部分を基盤２に形成された透孔３を通して下方に位置させるとともに、その取付け部１７を基盤２の臀部側裏面に配置された軸受け４に枢着支持させている。そして透孔３の下方にＬ字型プレート１８が設けられ、このＬ字型プレート１８とプレート５との間に揺動用のエアーセル８が配設されてこの揺動用のエアーセル８の伸縮によってプレート５が揺動され、この揺動によって上記と同様に揉み輪７が矢印方向に円弧運動され、基盤上方に位置する人体の左右の大腿部に円弧状の押し込みマッサージ作用が施されるように構成されている。この実施例によれば、基盤２上におけるマッサージ装置１の作動部の高さ寸法が小さくなり、例えば、椅子式マッサージ機に適用する場合の座部の形成に有利となる。
【００２２】
図１および図４の実施例においては、左右の大腿部Ａをマッサージするための揉み輪７，７を一つのプレート５の両側に支持させた態様を示しているが、図７に示しているように、左右の揉み輪７，７をそれぞれ個別に揺動プレート５Ａ，５Ｂでもって支持させ、その各々に揺動用のエアーセル８Ａ，８Ｂを設けることも本発明の好ましい実施の形態である。このように左右の揉み輪７，７を個別に揺動可能に構成することによって、左右の大腿部に交互に円弧状の押し込みマッサージ作用を施すことができる。
【００２３】
【発明の効果】
このように本発明のマッサージ装置１は人体の左右の大腿部Ａと臀部Ｂを支持する座部１６の基盤２に、臀部側において該基盤２に固定の軸受け４にプレートが揺動可能に枢着支持され、該プレートの先端部に、基盤２上方に位置する人体の左右の大腿部Ａに向かってアーム６が起立されてこのアーム６の先端部に揉み輪７が支持され、基盤２とプレート５との間に、空気の給排によって伸縮する揺動用のエアーセル８が配設されてこの揺動用のエアーセル８の伸縮によってプレート５が軸受けの枢着支持部を支点として揺動されて上記揉み輪７が基盤２上方に位置する人体の左右の大腿部Ａに前記軸受けの枢着支持部を支点とした円弧状の押し込みマッサージ作用が施されるように構成されてなるものであるから、次のような効果を奏する。
【００２４】
大腿部Ａにマッサージを施すための揉み輪７は、揺動用のエアーセル8内への空気の給排によって揺動されて揉み輪７が大腿部Ａに向かって円弧軌跡を描きながら往復動するので、この揉み輪７の大腿部に対する接触面部分は下方から上方へと、また逆の上方から下方へと移動変化しながら円弧状の押し込みマッサージ作用をなし、マッサージ師の親指による揉み上げ指圧風および揉み下げ指圧風の効果的なマッサージを得ることができる。
【００２５】
また、人体の左右の大腿部と臀部を支持する座部１６の基盤２に、臀部側において該基盤２に固定の軸受け４にプレート５が揺動可能に枢着支持され、該プレート５の先端部２に、基盤上方に位置する人体の左右の大腿部Ａに向かってアーム６が起立されてこのアーム６の先端部に揉み輪７が支持され、基盤２とプレート５との間に、空気の給排によって伸縮する揺動用のエアーセル８が配設されてこの揺動用のエアーセル８の伸縮によってプレート５が軸受け４の枢着支持部を支点として揺動されて上記揉み輪７が基盤２上方に位置する人体の左右の大腿部に前記軸受けの枢着支持部を支点とした円弧状の押し込みマッサージ作用が施されるように構成され、さらに上記基盤２の左右の臀部Ｂが位置する部分に、それぞれ空気の給排によって上下方向に伸縮する押圧用エアーセル９が配設されてこの押圧用エアーセルの伸縮によって人体の左右の臀部に押しマッサージ作用が施されるように構成されているマッサージ装置１においては、上記のように揉み輪７でもって大腿部Ａのマッサージをしながら押圧用エアーセル９内への空気の給排を行うと、押圧用エアーセル９が上下方向に伸縮し、それによって左右の臀部が下から上に押圧され、左右の臀部に同時に指圧風のマッサージを施すことができ、臀部の筋肉を柔らげて血行を促進し、疲れを癒すことができる。
【００２６】
そして本発明のマッサージ装置は、空気の給排による揺動用のエアーセル８と押圧用エアーセル９の伸縮作用によって行われるから、騒音が少ないばかりでなく給排気ポンプを制御することによって空気の給排サイクルやエアーセルの伸縮加減を任意に設定することができ、多様なマッサージを行うことができる。
【図面の簡単な説明】
【図１】本発明のマッサージ装置の主要部を示した下方からの斜視図である。
【図２】本発明のマッサージ装置の使用状態を示した側面図である。
【図３】本発明のマッサージ装置を椅子式マッサージ機に配設した状態の骨格を示した斜視図である。
【図４】揉み輪の揺動手段の他の実施例を示した斜視図である。
【図５】図４の側面図である。
【図６】揉み輪の揺動手段のさらに他の実施例を示した斜視図である。
【図７】左右の揉み輪をそれぞれ個別に揺動させる実施例を示した斜視図である。
【符号の説明】
１  マッサージ装置
２  基盤
３  透孔
４  軸受け
５  プレート
６  アーム
７  揉み輪
８  揺動用のエアーセル
９  押圧用エアーセル
【図１】
0003861252.tif 000002
【図２】
0003861252.tif 000003
【図３】
0003861252.tif 000004
【図４】
0003861252.tif 000005
【図５】
0003861252.tif 000006
【図６】
0003861252.tif 000007
【図７】
0003861252.tif 000008